(57)【要約】  還元剤の固化に起因した還元剤噴射弁の詰まりや破損等の発生を回避し、排気浄化効率の低下を防止し得る排気浄化システム及びその制御方法を提供する。  本発明の一態様に係る排気浄化システム及びその制御方法は、イグニッションスイッチのオフの検出後に、還元剤噴射弁の最高到達温度を特定し、その後、還元剤噴射弁内に残存する尿素水溶液の溶解温度を最高到達温度に基づいて算定し、イグニッションスイッチのオンの検出後に、還元剤噴射弁の噴射弁温度が溶解温度に到達してから還元剤噴射弁の動作を許可する構成を備える。
2014171261.tif 000002
【特許請求の範囲】
【請求項１】
内燃機関の排気ガス中の排気微粒子を捕集するディーゼルパティキュレートフィルタと、還元剤としての尿素水溶液を貯蔵タンクから還元剤噴射弁へ供給することにより前記排気ガス中に噴射して供給すると共に前記内燃機関を停止する際には供給経路内の前記尿素水溶液を前記貯蔵タンクへ回収する還元剤供給装置と、前記尿素水溶液を用いて前記排気ガス中のＮＯｘを浄化するＳＣＲ触媒と、を排気上流側から順次に備えた排気浄化システムにおいて、
前記内燃機関を停止するためのイグニッションスイッチのオフの検出後に、前記還元剤噴射弁の最高到達温度を特定し、その後、前記還元剤噴射弁内に残存する前記尿素水溶液の溶解温度を前記最高到達温度に基づいて算定する溶解温度算定部と、
前記内燃機関を始動するためのイグニッションスイッチのオンの検出後に、前記還元剤噴射弁の噴射弁温度が前記溶解温度に到達してから前記還元剤噴射弁の動作を許可する噴射弁動作許可部と、
を有する制御装置を備えることを特徴とする排気浄化システム。
【請求項２】
前記溶解温度算定部は、前記溶解温度の算定を、イグニッションスイッチのオンの検出後に行うことを特徴とする請求項１に記載の排気浄化システム。
【請求項３】
前記溶解温度算定部は、前記溶解温度の算定を、イグニッションスイッチのオフの検出後、オンの検出前に行うことを特徴とする請求項１に記載の排気浄化システム。
【請求項４】
前記溶解温度算定部は、前記最高到達温度の特定のための前記還元剤噴射弁の噴射弁温度の検出を、前記尿素水溶液の前記貯蔵タンクへの回収と並行して行うことを特徴とする請求項１乃至３のいずれか一項に記載の排気浄化システム。
【請求項５】
前記溶解温度算定部は、前記最高到達温度の特定を、前記尿素水溶液の前記貯蔵タンクへの回収終了後に行うことを特徴とする請求項１乃至４のいずれか一項に記載の排気浄化システム。
【請求項６】
前記溶解温度算定部は、前記溶解温度の算定を、前記最高到達温度と、前記還元剤噴射弁の温度勾配及び外気温度のうちの一方又は両方とに基づいて行うことを特徴とする請求項１乃至５のいずれか一項に記載の排気浄化システム。
【請求項７】
内燃機関の排気ガス中の排気微粒子を捕集するディーゼルパティキュレートフィルタと、還元剤としての尿素水溶液を貯蔵タンクから還元剤噴射弁へ供給することにより前記排気ガス中に噴射して供給すると共に前記内燃機関を停止する際には供給経路内の前記尿素水溶液を前記貯蔵タンクへ回収する還元剤供給装置と、前記尿素水溶液を用いて前記排気ガス中のＮＯｘを浄化するＳＣＲ触媒と、を排気上流側から順次に備えた排気浄化システムの制御方法において、
前記内燃機関を停止するためのイグニッションスイッチのオフの検出後に、前記還元剤噴射弁の最高到達温度を特定する過程と、
前記還元剤噴射弁内に残存する前記尿素水溶液の溶解温度を前記最高到達温度に基づいて算定する過程と、
前記内燃機関を始動するためのイグニッションスイッチのオンの検出後に、前記還元剤噴射弁の噴射弁温度が前記溶解温度に到達してから前記還元剤噴射弁の動作を許可する過程と、
を有することを特徴とする排気浄化システムの制御方法。
【請求項８】
前記溶解温度を算定する過程を、イグニッションスイッチのオンの検出後に行うことを特徴とする請求項７に記載の排気浄化システムの制御方法。
【請求項９】
前記溶解温度を算定する過程を、イグニッションスイッチのオフの検出後、オンの検出前に行うことを特徴とする請求項７に記載の排気浄化システムの制御方法。
【請求項１０】
前記最高到達温度を特定するための前記還元剤噴射弁の噴射弁温度の検出を、前記尿素水溶液の前記貯蔵タンクへの回収と並行して行うことを特徴とする請求項７乃至９のいずれか一項に記載の排気浄化システムの制御方法。
【請求項１１】
前記最高到達温度の特定を、前記尿素水溶液の前記貯蔵タンクへの回収終了後に行うことを特徴とする請求項７乃至１０のいずれか一項に記載の排気浄化システムの制御方法。
【発明の詳細な説明】
【技術分野】
【０００１】
本発明は、排気浄化システム及び排気浄化システムの制御方法に関する。特に、尿素水溶液の固化に起因した還元剤噴射弁や還元剤供給経路の詰まりや破損等の発生を回避し得る排気浄化システム及び排気浄化システムの制御方法に関する。
【背景技術】
【０００２】
従来、車両に搭載される内燃機関の排気ガス中には、窒素酸化物（以下、「ＮＯｘ」と称する。）や微粒子状物質（以下、「ＰＭ」と称することがある。）が含まれている。このうち、ＮＯｘを還元して排気ガスを浄化するための装置として尿素ＳＣＲシステムがある。尿素ＳＣＲシステムは、圧送ポンプによって貯蔵タンク内から汲み上げた還元剤としての尿素水溶液を還元剤噴射弁から排気管内に供給するための還元剤供給装置と、アンモニアを吸着可能な排気浄化触媒の一種であるＳＣＲ触媒とを備えて構成される。斯かる尿素ＳＣＲシステムでは、尿素水溶液の分解により生成されるアンモニアをＳＣＲ触媒に吸着させ、排気ガス中のＮＯｘをＳＣＲ触媒中でアンモニアと反応させて、排気ガスを浄化する。【０００３】
一方、ＰＭを捕集して排気ガスを浄化するための装置としてディーゼルパティキュレートフィルタ（以下、「ＤＰＦ」と称する。）がある。ＤＰＦは、内燃機関の排気管に配設され、排気ガスが当該ＤＰＦを通過する際に排気ガス中のＰＭを捕集する。ＤＰＦを備えた排気浄化システムでは、ＤＰＦの目詰まりを防止するために、ＤＰＦの温度を５００℃乃至６００℃程度に上昇させてＤＰＦに堆積したＰＭを強制的に燃焼させる強制再生制御が適時に行われる。【０００４】
近年、排気ガスの浄化基準が高められていることに伴い、ＤＰＦ及びＳＣＲ触媒の両方を備えた排気浄化システムが増えてきている。【０００５】
尿素ＳＣＲシステムにおいては、通常、内燃機関が停止した際に還元剤供給経路に残存する尿素水溶液を回収するように構成されている（例えば、特許文献１を参照）。これにより、尿素水溶液が還元剤供給経路に残存したまま凍結し、還元剤供給経路に詰まりや破損等が発生するのを回避しようとするものである。
【先行技術文献】
【特許文献】
【０００６】
【特許文献１】特開２００８−１０１５６４号公報
【発明の概要】
【発明が解決しようとする課題】
【０００７】
しかしながら、還元剤供給装置においては、その構造上、還元剤即ち尿素水溶液を完全には回収できないのが通常である。【０００８】
そのため、還元剤供給経路、特に還元剤噴射弁内に残存した尿素水溶液が内燃機関の停止後に加熱されて濃縮されることにより固化温度が上昇し、その後に冷却される過程で尿素水溶液が固化してしまい、その結果、例えば、特許文献１に記載された排気浄化システムでは、内燃機関の始動時に、尿素水溶液の供給が阻害され、排気浄化効率が低下してしまうという問題があった。【０００９】
具体的に説明すると、排気浄化システムでは、内燃機関の停止時に、還元剤供給装置の
還元剤供給経路に充填されていた尿素水溶液を貯蔵タンクに回収するパージ処理が一般に行われるものの、貯蔵タンク及び還元剤噴射弁を接続する還元剤通路等の構造上、還元剤供給経路内に充填された尿素水溶液を、通常は、完全には貯蔵タンクに回収し切ることができない。【００１０】
一方、内燃機関の停止とともに還元剤噴射弁の放熱機能である冷却水の循環等は停止するため、特に還元剤噴射弁の温度は上昇する。そうすると、上述の還元剤噴射弁内に残存した尿素水溶液中の水分が気化により蒸発し、その濃度は上昇する。その後、排気管や周囲の温度が低下するにつれて、尿素水溶液の温度は低下するが、通常の濃度に比べ高い濃度となっているため、固化する温度は上昇しており、残存尿素水溶液が固化して還元剤噴射弁に詰まりが発生してしまう虞がある。【００１１】
図８は、尿素水溶液の濃度と固化温度Ｔ０との関係を表したグラフである。【００１２】
還元剤供給装置において使用される還元剤としての尿素水溶液の濃度は、通常、固化温度が最も低い約−１１℃となる約３２．５％に調整されている。【００１３】
図８のグラフに示されるように、尿素水溶液の固化温度は、尿素水溶液の濃度が約３２．５％のときに最低の約−１１℃であり、尿素水溶液の濃度が約３２．５％より高くなっても低くなっても、尿素水溶液の固化温度は上昇する特性を有している。【００１４】
従って、高温により水分が蒸発して濃度が高くなった還元剤噴射弁内の残存尿素水溶液は、その後に温度が低下した時に固化し易く、内燃機関の再始動時において還元剤噴射弁の噴射が阻害され、最悪の場合、還元剤噴射弁の破損等が発生する可能性がある。【００１５】
本発明はこのような問題に鑑みてなされたものであり、一旦加熱された尿素水溶液が内燃機関停止後の冷却される過程で固化した場合であっても、固化した尿素水溶液が溶解するのを待ってから還元剤供給装置を動作させることにより、上記問題を解決するものである。【００１６】
即ち、本発明は、尿素水溶液の固化に起因した還元剤噴射弁や還元剤供給経路の詰まりや破損等の発生を回避することが可能であり、その結果として排気浄化効率の低下を防止し得る排気浄化システム及び排気浄化システムの制御方法を提供することを目的とする。
【課題を解決するための手段】
【００１７】
本発明の一態様に係る排気浄化システムは、内燃機関の排気ガス中の排気微粒子を捕集するディーゼルパティキュレートフィルタと、還元剤としての尿素水溶液を貯蔵タンクから還元剤噴射弁へ供給することにより前記排気ガス中に噴射して供給すると共に前記内燃機関を停止する際には供給経路内の前記尿素水溶液を前記貯蔵タンクへ回収する還元剤供給装置と、前記尿素水溶液を用いて前記排気ガス中のＮＯｘを浄化するＳＣＲ触媒と、を排気上流側から順次に備えた排気浄化システムにおいて、
前記内燃機関を停止するためのイグニッションスイッチのオフの検出後に、前記還元剤噴射弁の最高到達温度を特定し、その後、前記還元剤噴射弁内に残存する前記尿素水溶液の溶解温度を前記最高到達温度に基づいて算定する溶解温度算定部と、
前記内燃機関を始動するためのイグニッションスイッチのオンの検出後に、前記還元剤噴射弁の噴射弁温度が前記溶解温度に到達してから前記還元剤噴射弁の動作を許可する噴射弁動作許可部と、
を有する制御装置を備えることを特徴とし、当該構成を備えることにより、上記課題を解決することができる。【００１８】
また、本発明の一態様に係る排気浄化システムの制御方法は、
内燃機関の排気ガス中の排気微粒子を捕集するディーゼルパティキュレートフィルタと、還元剤としての尿素水溶液を貯蔵タンクから還元剤噴射弁へ供給することにより前記排気ガス中に噴射して供給すると共に前記内燃機関を停止する際には供給経路内の前記尿素水溶液を前記貯蔵タンクへ回収する還元剤供給装置と、前記尿素水溶液を用いて前記排気ガス中のＮＯｘを浄化するＳＣＲ触媒と、を排気上流側から順次に備えた排気浄化システムの制御方法において、
前記内燃機関を停止するためのイグニッションスイッチのオフの検出後に、前記還元剤噴射弁の最高到達温度を特定する過程と、
前記還元剤噴射弁内に残存する前記尿素水溶液の溶解温度を前記最高到達温度に基づいて算定する過程と、
前記内燃機関を始動するためのイグニッションスイッチのオンの検出後に、前記還元剤噴射弁の噴射弁温度が前記溶解温度に到達してから前記還元剤噴射弁の動作を許可する過程と、
を有することを特徴とし、当該構成を備えることにより、上記課題を解決することができる。【００１９】
即ち、本発明の一態様に係る排気浄化システム及びその制御方法は、上記各構成を備えることにより、尿素水溶液の固化に起因した還元剤噴射弁や還元剤供給経路の詰まりや破損等の発生を回避することができ、その結果として排気浄化効率の低下を防止することができる。【００２０】
前記溶解温度の算定は、イグニッションスイッチのオンの検出後に行うものとするとよい。又は、前記溶解温度の算定は、イグニッションスイッチのオフの検出後、オンの検出前に行うものとしてもよい。【００２１】
前記最高到達温度を特定するための前記還元剤噴射弁の噴射弁温度の検出は、前記尿素水溶液の前記貯蔵タンクへの回収と並行して行うものとするとよい。【００２２】
前記最高到達温度の特定は、前記尿素水溶液の前記貯蔵タンクへの回収終了後に行うものとするとよい。【００２３】
前記溶解温度の算定は、前記最高到達温度と、前記還元剤噴射弁の温度勾配及び外気温度のうちの一方又は両方とに基づいて行うものとするとよい。
【図面の簡単な説明】
【００２４】
【図１】本発明の実施の一形態に係る排気浄化システムの全体構成図である。
【図２】本発明の実施の一形態に係る排気浄化システムに備えられる制御装置のブロック図である。
【図３】本発明の実施の一形態に係る排気浄化システムにおける還元剤噴射弁温度及び還元剤固化温度等の変化の一例を示すグラフである。
【図４】本発明の実施の一形態に係る排気浄化システム及びその制御方法について説明するためのフローチャートである。
【図５】本発明の実施の一形態に係る排気浄化システム及びその制御方法について説明するためのフローチャートである。
【図６】本発明の実施の一形態に係る排気浄化システム及びその制御方法について説明するためのフローチャートである。
【図７】本発明の実施の一形態に係る排気浄化システムにおける還元剤噴射弁温度及び還元剤固化温度等の変化の他の例を示すグラフである。
【図８】尿素水溶液の濃度と固化温度Ｔ０との関係を表したグラフである。
【発明を実施するための形態】
【００２５】
以下、図面を参照して、本発明に係る排気浄化システム及び排気浄化システムの制御方法の実施の形態について、具体的に説明する。
【００２６】
但し、以下の実施の形態は、本発明の一態様を示すものであって本発明を限定するものではなく、本発明の範囲内で任意に変更することができる。
【００２７】
尚、各図において同符号を付してあるものは同一の部材乃至部分を示しており、適宜説明が省略されている。
１．排気浄化システム
（１）全体構成
図１は、本発明の実施の一形態に係る排気浄化システム１０の全体構成図である。
【００２８】
この排気浄化システム１０は、ＤＰＦ２２及びＳＣＲ触媒２４を有する排気浄化ユニット２０と、還元剤噴射弁４３を含む還元剤供給装置４０と、ＤＰＦ２２の強制再生制御や還元剤供給装置４０の動作制御を行う制御装置６０とを主たる構成要素として備えている。
【００２９】
斯かる排気浄化システム１０は、排気ガス中の微粒子状物質（ＰＭ）をＤＰＦ２２によって捕集し、かつ、還元剤としての尿素水溶液を用いて排気ガス中のＮＯｘをＳＣＲ触媒２４中で選択的に浄化するための装置として構成されたものである。
（２）排気浄化ユニット
排気浄化ユニット２０は、酸化触媒２１と、ＤＰＦ２２と、ＳＣＲ触媒２４とを排気上流側から順次に備えている。
【００３０】
この排気浄化ユニット２０の構成要素のうち、酸化触媒２１は、内燃機関５でのポスト噴射等によって排気管１１内に供給された未燃燃料を酸化し、酸化熱を発生させる。これにより、ＤＰＦ２２に流入する排気ガスを昇温させてＤＰＦ２２を加熱することができる。酸化触媒２１は、公知のもの、例えば、アルミナに白金を担持させたものに所定量のセリウム等の希土類元素を添加したものを用いることができる。
【００３１】
また、ＤＰＦ２２は、排気ガスがＤＰＦ２２を通過する際に排気ガス中のＰＭを捕集する。図１に示す排気浄化システム１０では、ＤＰＦ２２がＳＣＲ触媒２４よりも排気上流側に配設されており、ＰＭがＳＣＲ触媒２４に付着するおそれがない。ＤＰＦ２２は、公知のもの、例えば、セラミック材料から構成されたハニカム構造のフィルタを用いることができる。
【００３２】
また、ＳＣＲ触媒２４は、還元剤噴射弁４３によって排気ガス中に噴射される尿素水溶液の分解により生成されるアンモニアを吸着し、流入する排気ガス中のＮＯｘを還元する。ＳＣＲ触媒２４としては、例えば、アンモニアの吸着機能を有し、かつ、ＮＯｘを選択的に還元可能なゼオライト系の還元触媒を用いることができる。
【００３３】
以上に説明した排気浄化ユニット２０は、ＤＰＦ２２の前後にそれぞれ圧力センサ５１、５２を備え、ＳＣＲ触媒２４の前後にそれぞれ温度センサ５３、５４を備えている。また、ＳＣＲ触媒２４の排気下流側にはＮＯｘセンサ５５を備えている。さらに、排気浄化ユニットの周囲には外気温度を検出する外気温度センサが配置されている。
【００３４】
これらセンサのセンサ値は制御装置６０に送られて、それぞれの位置での圧力や温度、ＮＯｘ濃度が検出される。
【００３５】
尚、演算によって推定可能であるならば、これらセンサは省略可能である。
【００３６】
また、以上に説明した排気浄化ユニット２０は、排気管１１の第１屈曲部２３ａから分岐して、還元剤噴射弁４３を固定するための接続管１２を備えている。この接続管１２を介して、排気ガスの流れ方向と略一致する方向に、還元剤噴射弁４３から還元剤としての尿素水溶液が噴射される。
【００３７】
従って、排気管１１に還元剤噴射弁４３を直接固定する場合と比較して、排気管１１や排気ガス等から還元剤噴射弁４３への熱を伝わり難くすることができる。
（３）強制再生手段
本実施形態の排気浄化システム１０は、ＤＰＦ２２の強制再生制御を行うための強制再生手段を備える。ＤＰＦ２２を５００℃乃至６００℃程度に昇温させ、ＤＰＦ２２に堆積したＰＭを強制的に燃焼させる強制再生を行うためである。
【００３８】
本実施形態では、内燃機関５でのポスト噴射等によって排気管１１内に未燃燃料を供給する燃料噴射弁（図示せず）と、燃料噴射弁からの燃料噴射量や噴射タイミング等、燃料噴射弁の制御を指示するための制御装置６０の制御部と、未燃燃料を酸化して酸化熱を発生させる酸化触媒２１とが、強制再生手段を構成する。
【００３９】
尚、強制再生手段は上記構成例に限られず、排気ガスを５００℃乃至６００℃程度に昇温させることができるものであればよい。例えば、ポスト噴射に拠らずに酸化触媒２１に未燃燃料を供給する装置を利用して強制再生手段を構成してもよい。また、バーナや電熱線等の加熱装置を備え、直接ＤＰＦ２２を加熱するようにしてもよい。
（４）還元剤供給装置
還元剤供給装置４０は、尿素水溶液を貯蔵する貯蔵タンク４１と、圧送ポンプ４２と、還元剤噴射弁４３とを主たる構成要素として備えている。
【００４０】
このうち、貯蔵タンク４１及び圧送ポンプ４２が第１の供給通路４４によって接続され、圧送ポンプ４２及び還元剤噴射弁４３が第２の供給通路４５によって接続されている。この第２の供給通路４５には圧力センサ５６が設けられており、センサ値が制御装置６０に送信され、第２の供給通路４５内の圧力が検出される。
【００４１】
また、第２の供給通路４５及び貯蔵タンク４１が第３の供給通路４６によって接続されており、これにより、第２の供給経路４５に供給された余剰の尿素水溶液を、貯蔵タンク４１に戻すことができる。
【００４２】
また、還元剤供給装置４０は、尿素水溶液の流路を、貯蔵タンク４１から還元剤噴射弁４３へ向かう順方向から、還元剤噴射弁４３から貯蔵タンク４１へ向かう逆方向に切り換える機能を持ったリバーティングバルブ４７を備えている。即ち、本実施形態の排気浄化システム１０は、内燃機関５の停止時に、還元剤供給装置４０に充填されていた尿素水溶液を貯蔵タンク４１に回収可能な構成を有している。
この還元剤供給装置４０の構成要素のうち、圧送ポンプ４２は、第２の供給経路４５内の圧力が所定値で維持されるように、貯蔵タンク４１内の尿素水溶液を汲み上げて還元剤噴射弁４３に圧送する。圧送ポンプ４２として、代表的には電動式ポンプが用いられる。
【００４３】
また、還元剤噴射弁４３は、制御装置６０から出力される制御信号によって還元剤噴射弁４３が開かれたときに、尿素水溶液を排気管１１中に噴射する。還元剤噴射弁４３としては、例えばＤＵＴＹ制御によって開弁のＯＮ−ＯＦＦが制御されるＯＮ−ＯＦＦ弁が用いられる。
【００４４】
このような還元剤噴射弁４３を構成する電子部分や樹脂部分等は比較的熱に弱く、その耐熱温度Ｔｌｉｍは１４０℃乃至１５０℃程度である一方、通常運転時における排気ガス温度は、２００℃乃至３００℃程度である。
【００４５】
そのため、この還元剤供給装置４０は、還元剤噴射弁４３のハウジングに設けられた冷却水通路３５と、内燃機関５の冷却水通路３３から分岐して冷却水通路３５に連通する冷却水循環通路３３・３４と、冷却水循環通路３３・３４を流れる冷却水の流量を調節する冷却水流量制御弁３１・３２とを備えている。
【００４６】
これにより、内燃機関５の冷却水を還元剤噴射弁４３の冷却水通路３５に循環させ、還元剤噴射弁４３の温度を７０℃乃至８０℃程度に保ち、還元剤噴射弁４３の熱損傷を防止することができる。
【００４７】
また、還元剤噴射弁４３からの還元剤の噴射を行うために、貯蔵タンク４１内の相対的に低温である尿素水溶液が還元剤噴射弁４３に圧送されるので、還元剤噴射弁４３から尿素水溶液への熱移動によっても、還元剤噴射弁４３の放熱が促される。
【００４８】
上述のエンジン冷却水の循環や、尿素水溶液への熱移動による還元剤噴射弁４３の放熱は、特に、内燃機関５の運転中において行われる。
【００４９】
内燃機関５の運転中にエンジン冷却水が循環し、また、内燃機関５の運転中に還元剤噴射弁４３へ尿素水溶液が圧送されるためである。
２．制御装置
（１）全体構成
次に、図２を参照して、本発明の実施の一形態に係る排気浄化システム１０に備えられる制御装置６０を、温度検出部６２と、強制再生制御部６３と、溶解温度算定部６４と、噴射弁動作許可部６５とに大別して、具体的に説明する。これらの各部は、典型的には、マイクロコンピュータによるプログラムの実行によって実現される。
【００５０】
即ち、図２は、排気浄化システム１０に備えられた制御装置６０のうち、尿素水溶液の固化に起因した還元剤噴射弁４３の詰まりを解消するための制御に関する部分を、機能的なブロックで表した構成例である。
【００５１】
制御装置６０は、イグニッションスイッチ５７の信号や各圧力センサや各温度センサをはじめとして、機関回転数Ｎｅを検出する回転数センサ、車両の車速Ｖを検出する車速センサ、アクセルペダルの操作量Ａｃｃを検出するアクセルセンサ、ブレーキペダルの操作量Ｂｒｋを検出するブレーキセンサ等の各種センサ信号が読込み可能に構成されている。また、制御装置６０には、各部での演算結果や検出結果を記憶するための図示しないＲＡＭ（Random Access Memory）が備えられている。さらに制御装置６０は、内燃機関を始動及び停止するためのイグニッションスイッチ５７によるオン及びオフの信号を検出し、オフの信号を検出したときには、還元剤噴射弁４３の最高到達温度Ｔｕｄｖｍａｘを特定し、オンの信号を検出したときには、当該最高到達温度Ｔｕｄｖｍａｘから算定された残存還元剤の溶解温度Ｔｓｔｒに還元剤噴射弁４３の温度が到達してから還元剤噴射弁４３の動作を許可するように構成されている。
【００５２】
尚、制御装置６０は、内燃機関５の運転中にあっては、第２の供給経路４５内の圧力が所定値で維持されるように圧送ポンプ４２の駆動を制御するとともに、機関回転数ＮｅやＳＣＲ触媒の排気下流側に設けられたＮＯｘセンサ５５のセンサ値等に基づいて、還元剤噴射弁４３の駆動を制御する。
【００５３】
また、制御装置６０は、内燃機関５の停止時にパージ処理を実行する。即ち、尿素水溶液の流路を順方向から逆方向に切り換えるための信号を、リバーティングバルブ４７に対して出力するとともに、還元剤噴射弁４３を開弁させて圧送ポンプ４２を駆動させるための信号を、圧送ポンプ４２及び還元剤噴射弁４３に対して出力することにより、還元剤噴射弁４３及び還元剤供給経路の内部に存在する還元剤を貯蔵タンク４１に回収する。
（２）温度検出部
温度検出部６２は、温度センサ５３を用いて還元剤噴射弁温度Ｔｕｄｖを検出するためのものであるが、直接検出できない場合には、その近傍のＤＰＦ２２下流側温度Ｔｄｐｆ等から算出乃至推測してもよい。
（３）強制再生制御部
強制再生制御部６３は、ＤＰＦ２２の前後に設けられた圧力センサ５１、５２から求められる差圧に基づいて、ＰＭの堆積量Ｖｐｍを推定する。そして、推定ＰＭ堆積量Ｖｐｍが所定の閾値Ｖｐｍ０を超えたときに、ＤＰＦ２２の強制再生が必要であると判定し、強制再生手段に対して、強制再生を実行するための信号を送信する。
【００５４】
また、強制再生制御部６３は、推定ＰＭ堆積量Ｖｐｍが所定量まで低下したことをきっかけとして、強制再生手段に対して送信していた、強制再生を実行するための信号を停止する。
（４）溶解温度算定部６４
溶解温度算定部６４は、内燃機関を停止するためにイグニッションスイッチ５７がオフされたことを検知すると、温度検出部６２を通じて還元剤噴射弁４３の噴射弁温度Ｔｕｄｖの検出を開始し、還元剤噴射弁４３の最高到達温度Ｔｕｄｖｍａｘを特定する。
【００５５】
また、上述のように、「噴射弁温度Ｔｕｄｖの検出」には、噴射弁温度Ｔｕｄｖを直接検出することの他、例えば噴射弁４３近傍のＤＰＦ２２下流側温度Ｔｄｐｆ等から算出乃至推測することも含む。
【００５６】
イグニッションスイッチ５７がオフされた後、内燃機関５が停止すると、内燃機関５の冷却水の循環も停止して還元剤噴射弁４３の放熱効率が低下するために、噴射弁温度Ｔｕｄｖはある程度の時間に亘って上昇し、その後に低下する。
【００５７】
そこで、溶解温度算定部６４は、噴射弁温度Ｔｕｄｖの最高値である噴射弁最高温度Ｔｍａｘを噴射弁温度Ｔｕｄｖの上昇と共に更新していき、噴射弁温度Ｔｕｄｖが上昇しなくなったときの噴射弁最高温度Ｔｍａｘを、還元剤噴射弁４３の最高到達温度Ｔｕｄｖｍａｘとして特定する。
【００５８】
この最高到達温度Ｔｕｄｖｍａｘは、還元剤噴射弁４３内に残存する還元剤である尿素水溶液の固化温度（凝固点）Ｔ０即ち溶解温度（融点）Ｔｓｔｒを算定するために使用されるので、制御装置６０内の所定の記憶手段に記憶しておく。
【００５９】
上述のように、イグニッションスイッチ５７がオフされた後、噴射弁温度Ｔｕｄｖは上昇するので、還元剤噴射弁４３内に残存する尿素水溶液の温度も上昇し、尿素水溶液の水分が気化して濃度が上昇し、その結果として、当該残存尿素水溶液の固化温度Ｔ０即ち溶解温度Ｔｓｔｒも上昇する。
【００６０】
ここで、還元剤の回収処理（パージ処理）後に還元剤噴射弁４３内に残存する尿素水溶液の体積は、還元剤噴射弁４３の構造に応じてほぼ一定であるので、還元剤噴射弁４３の最高到達温度Ｔｕｄｖｍａｘを特定することができれば、濃縮された残存尿素水溶液の濃度を算定することができ、従って、当該残存尿素水溶液の固化温度Ｔ０即ち溶解温度Ｔｓｔｒも算定することができる。
【００６１】
尚、残存尿素水溶液の濃度の算定においては、還元剤噴射弁４３の最高到達温度Ｔｕｄｖｍａｘの他に、実施の対象となる実機に固有の種々の条件が影響することがあり得るので、予め実機で試験を行い、最高到達温度Ｔｕｄｖｍａｘを特定するだけで残存尿素水溶液の濃度を十分な精度で算定できるようにしておくことが望ましい。
【００６２】
より高精度な算定を行うためには、還元剤噴射弁４３の最高到達温度Ｔｕｄｖｍａｘの他に、最高到達温度Ｔｕｄｖｍａｘに到達する際の還元剤噴射弁４３の温度勾配δＴｕｄｖ、外気温度Ｔｏｕｔ、及び、必要に応じた他の条件を適宜組み合わせて、残存尿素水溶液の濃度、及び、固化温度Ｔ０即ち溶解温度Ｔｓｔｒの算定を行うようにするとよい。即ち、温度勾配δＴｕｄｖが急である場合や外気温度Ｔｏｕｔが高い場合は、残存尿素水溶液の濃度がより高くなり、当該残存尿素水溶液の固化温度Ｔ０即ち溶解温度Ｔｓｔｒもより高くなる傾向があるからである。
【００６３】
図３は、本発明の実施の一形態に係る排気浄化システムにおける還元剤噴射弁温度及び還元剤固化温度等の変化の一例を示すグラフである。
【００６４】
時刻ｔ１においてイグニッションスイッチ５７がオフされると、内燃機関５が停止して、内燃機関５の冷却水の循環も停止するので、その時点から噴射弁温度Ｔｕｄｖがある程度の時間に亘って上昇し、最高到達温度Ｔｕｄｖｍａｘに到達した後、低下していることが見て取れる。
【００６５】
また、噴射弁温度Ｔｕｄｖの上昇に少し遅れて追従するようにして、残存尿素水溶液の固化温度Ｔ０が上昇することも、図３に示される通りである。これは、上述のように、噴射弁温度Ｔｕｄｖの上昇による残存尿素水溶液の濃度の上昇に起因するものである。
【００６６】
そして、噴射弁温度Ｔｕｄｖが低下してきて、時刻ｔ２において残存尿素水溶液の固化温度Ｔ０である固化ポイントまで低下すると、還元剤噴射弁４３の残存尿素水溶液に固化即ち凝固が発生することとなる。
【００６７】
図７は、本発明の実施の他の形態に係る排気浄化システムにおける還元剤噴射弁温度及び還元剤固化温度等の変化の他の例を示すグラフである。
【００６８】
図７の例においては、イグニッションスイッチ５７がオフされる時刻ｔ１より前の時刻ｔ０において、ＤＰＦ２２の強制再生制御が開始されており、それに伴う噴射弁温度Ｔｕｄｖ及びＤＰＦ２２下流側温度Ｔｄｐｆの上昇が見て取れるが、その他の点については、上記図３の例とほぼ同様である。
【００６９】
尿素水溶液の固化温度Ｔ０即ち溶解温度Ｔｓｔｒの算定は、還元剤噴射弁４３の最高到達温度Ｔｕｄｖｍａｘから尿素水溶液の濃度を算定し、尿素水溶液の濃度に対応する固化温度Ｔ０即ち溶解温度Ｔｓｔｒを、図８のグラフと同様に尿素水溶液の濃度と固化温度Ｔ０との関係を表す特性マップに基づいて特定することにより行う。当該特性マップは、制御装置６０内の所定の記憶手段に記憶されているものとするとよい。
【００７０】
残存尿素水溶液の固化温度Ｔ０即ち溶解温度Ｔｓｔｒの算定は、内燃機関を停止するためのイグニッションスイッチ５７のオフを検出した後、制御装置６０への給電が遮断されるまでの間に行ってもよいし、又は、イグニッションスイッチ５７のオフを検出した後、内燃機関を始動するためのイグニッションスイッチ５７のオンを検出したときに行ってもよい。
（５）噴射弁動作許可部
噴射弁動作許可部６５は、イグニッションスイッチ５７がオンされたことが検知されると、温度検出部６２を通じて還元剤噴射弁４３の噴射弁温度Ｔｕｄｖの検出を開始する。上述のように、「噴射弁温度Ｔｕｄｖの検出」には、噴射弁温度Ｔｕｄｖを直接測定することの他、例えば噴射弁４３近傍のＤＰＦ２２下流側温度Ｔｄｐｆ等から算出乃至推測することも含む。
【００７１】
そして、噴射弁動作許可部６５は、現在の噴射弁温度Ｔｕｄｖ、及び、残存尿素水溶液の算定された溶解温度Ｔｓｔｒに基づいて、還元剤噴射弁４３の動作を許可するか否かを判断する。即ち、現在の噴射弁温度Ｔｕｄｖが残存尿素水溶液の溶解温度Ｔｓｔｒに到達したか（Ｔｕｄｖ≧Ｔｓｔｒ）否かに応じて、噴射弁動作許可部６５は、還元剤噴射弁４３の動作を許可するか否かを判断する。噴射弁動作許可部６５による動作許可の判断がなされると、還元剤噴射弁４３の動作が開始される。
【００７２】
尚、噴射弁動作許可部６５による動作許可の判断がなされるまでの間は、還元剤噴射弁４３による還元剤の噴射が行われないこととなるが、排気浄化ユニット２０のＳＣＲ触媒２４には、それ以前の動作時に吸着されたアンモニアが残存しており、また、還元剤噴射弁４３の動作開始までの時間は比較的短時間であるため、通常は、環境基準を満たさなくなる等の問題は生じない。
３．制御方法
以下、フローチャートを用いて、本発明の実施の一形態に係る排気浄化システム及びその制御方法の具体例について説明する。
【００７３】
図４は、本発明の実施の一形態に係る排気浄化システム及びその制御方法について説明するためのフローチャートであり、特に、当該排気浄化システムの制御方法の動作手順全体を概略的に示すフローチャートである。
【００７４】
先ず、制御装置６０、特に溶解温度算定部６４がイグニッションスイッチ５７のオフを検出すると（ステップＳ１）、溶解温度算定部６４は、温度検出部６２を通じて還元剤噴射弁４３の噴射弁温度Ｔｕｄｖの検出を開始し、その最高到達温度Ｔｕｄｖｍａｘを特定する（ステップＳ２）。
【００７５】
その後、制御装置６０、特に噴射弁動作許可部６５がイグニッションスイッチ５７のオンを検出すると（ステップＳ３）、噴射弁動作許可部６５は、還元剤噴射弁４３の最高到達温度Ｔｕｄｖｍａｘから、還元剤噴射弁４３内に残存する還元剤、特に尿素水溶液の溶解温度Ｔｓｔｒを算定する一方、温度検出部６２を通じて還元剤噴射弁４３の噴射弁温度Ｔｕｄｖの検出を開始する（ステップＳ４）。
【００７６】
噴射弁動作許可部６５は、現在の噴射弁温度Ｔｕｄｖと残存尿素水溶液の溶解温度Ｔｓｔｒとを継続的に比較して、噴射弁温度Ｔｕｄｖが残存尿素水溶液の溶解温度Ｔｓｔｒに到達したか（Ｔｕｄｖ≧Ｔｓｔｒ）否かを判断する（ステップＳ５）。
【００７７】
そして、噴射弁動作許可部６５は、現在の噴射弁温度Ｔｕｄｖが残存尿素水溶液の溶解温度Ｔｓｔｒに到達したと判断すると、還元剤噴射弁４３の動作を許可する判断を行い、当該判断に応じて還元剤噴射弁４３の動作が開始される。
【００７８】
一旦加熱された尿素水溶液が内燃機関停止後の冷却される過程で固化した場合であっても、本発明の実施の一形態に係る排気浄化システム及びその制御方法の斯かる動作手順によって、固化した尿素水溶液が溶解するのを待ってから還元剤供給装置を動作させることにより、尿素水溶液の固化に起因した還元剤噴射弁や還元剤供給経路の詰まりや破損等の発生を回避することが可能であり、その結果として排気浄化効率の低下を防止することができる。
【００７９】
図５は、本発明の実施の一形態に係る排気浄化システム及びその制御方法について説明するためのフローチャートであり、特に、イグニッションスイッチ５７のオフの検出に応じて還元剤噴射弁４３の最高到達温度Ｔｕｄｖｍａｘを特定する際の当該排気浄化システムの制御方法の動作手順をより具体的に示すフローチャートである。
【００８０】
先ず、溶解温度算定部６４を含む制御装置６０がイグニッションスイッチ５７のオフを検出すると（ステップＳ１１）、制御装置６０は、排気浄化システムに備えられた還元剤供給装置４０における還元剤回収処理を開始する（ステップＳ１２）。
【００８１】
また、溶解温度算定部６４は、イグニッションスイッチ５７のオフの検出に応じて、温度検出部６２を通じて還元剤噴射弁４３の噴射弁温度Ｔｕｄｖの検出を開始する（ステップＳ１３）。
【００８２】
具体的には、「噴射弁最高温度Ｔｍａｘ＝噴射弁温度Ｔｕｄｖ」に設定して、噴射弁温度Ｔｕｄｖを継続的に検出し、現在の噴射弁温度Ｔｕｄｖとそれまでの噴射弁最高温度Ｔｍａｘを比較して、現在の噴射弁温度Ｔｕｄｖがそれまでの噴射弁最高温度Ｔｍａｘを超えているか（Ｔｕｄｖ＞Ｔｍａｘ）否かを判断する（ステップＳ１４）。
【００８３】
現在の噴射弁温度Ｔｕｄｖがそれまでの噴射弁最高温度Ｔｍａｘを超えているときは、「噴射弁最高温度Ｔｍａｘ＝当該時点の噴射弁温度Ｔｕｄｖ」に更新して、噴射弁温度Ｔｕｄｖの検出を継続する。
【００８４】
一方、現在の噴射弁温度Ｔｕｄｖがそれまでの噴射弁最高温度Ｔｍａｘを超えなくなったときは、噴射弁温度Ｔｕｄｖはさらに上昇することはないと判断できるので、それまでの噴射弁最高温度Ｔｍａｘを還元剤噴射弁４３の最高到達温度Ｔｕｄｖｍａｘとして特定し、制御装置６０内の所定の記憶手段に記憶する（ステップＳ１５）。
【００８５】
また、制御装置６０は、排気浄化システムに備えられた還元剤供給装置４０における還元剤回収処理が終了したか否かを判断し、終了したと判断したときは、制御装置６０自体への給電の遮断処理を行って、動作手順を終了する（ステップＳ１６）。
【００８６】
尚、還元剤回収処理は、還元剤噴射弁４３の噴射弁温度Ｔｕｄｖが噴射弁最高温度Ｔｍａｘに到達する以前の、噴射弁温度Ｔｕｄｖの検出中に終了しているのが通常であるので、ここでの判断は、制御装置６０への給電の遮断処理を行うに際して、還元剤回収処理が確実に終了していることを確認するために行っている。
【００８７】
図６は、本発明の実施の一形態に係る排気浄化システム及びその制御方法について説明するためのフローチャートであり、特に、イグニッションスイッチ５７のオンの検出に応じて還元剤噴射弁４３の動作許可を判断する際の当該排気浄化システムの制御方法の動作手順をより具体的に示すフローチャートである。
【００８８】
溶解温度算定部６４及び噴射弁動作許可部６５を含む制御装置６０がイグニッションスイッチ５７のオンを検出すると（ステップＳ２１）、溶解温度算定部６４は、制御装置６０内の所定の記憶手段に記憶された還元剤噴射弁４３の最高到達温度Ｔｕｄｖｍａｘから、還元剤噴射弁４３内に残存して濃縮された尿素水溶液の濃度Ｃを算定し、当該濃度Ｃから残存尿素水溶液の固化温度Ｔ０即ち溶解温度Ｔｓｔｒを算定する（ステップＳ２２）。
【００８９】
尿素水溶液の固化温度Ｔ０即ち溶解温度Ｔｓｔｒの算定は、残存尿素水溶液の濃度Ｃに対応する固化温度Ｔ０即ち溶解温度Ｔｓｔｒを、図８のグラフと同様に尿素水溶液の濃度と固化温度Ｔ０との関係を表す特性マップに基づいて特定することにより行う。当該特性マップは、制御装置６０内の所定の記憶手段から読み出す。
【００９０】
一方、噴射弁動作許可部６５は、イグニッションスイッチ５７のオンの検出に応じて、温度検出部６２を通じて還元剤噴射弁４３の噴射弁温度Ｔｕｄｖの検出を開始する（ステップＳ２２）。
【００９１】
噴射弁動作許可部６５は、現在の噴射弁温度Ｔｕｄｖと、残存尿素水溶液の算定された溶解温度Ｔｓｔｒとに基づいて、還元剤噴射弁４３の動作を許可するか否かを判断する。即ち、現在の噴射弁温度Ｔｕｄｖが残存尿素水溶液の溶解温度Ｔｓｔｒに到達したか（Ｔｕｄｖ≧Ｔｓｔｒ）否かに応じて、噴射弁動作許可部６５は、還元剤噴射弁４３の動作を許可するか否かを判断する（ステップＳ２３）。
【００９２】
そして、噴射弁動作許可部６５による動作許可の判断がなされると、還元剤噴射弁４３の動作が開始される（ステップＳ２４）。
【００９３】
上述のように、残存尿素水溶液の固化温度Ｔ０即ち溶解温度Ｔｓｔｒの算定は、イグニッションスイッチ５７のオフを検出した後、最初にイグニッションスイッチ５７のオンを検出したときに行ってもよいし、又は、イグニッションスイッチ５７のオフを検出した後、制御装置６０への給電が遮断されるまでの間、即ち、図５のフローチャートにおけるステップＳ１５とステップＳ１６との間に行ってもよい。
【００９４】
一旦加熱された尿素水溶液が内燃機関停止後の冷却される過程で固化した場合であっても、以上の図５及び図６のフローチャートに示した本発明の実施の一形態に係る排気浄化システム及びその制御方法の斯かる動作手順によって、固化した尿素水溶液が溶解するのを待ってから還元剤供給装置を動作させることにより、尿素水溶液の固化に起因した還元剤噴射弁や還元剤供給経路の詰まりや破損等の発生を回避することが可能であり、その結果として排気浄化効率の低下を防止することができる。
【図１】
2014171261.tif 000003
【図２】
2014171261.tif 000004
【図３】
2014171261.tif 000005
【図４】
2014171261.tif 000006
【図５】
2014171261.tif 000007
【図６】
2014171261.tif 000008
【図７】
2014171261.tif 000009
【図８】
2014171261.tif 000010
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
内燃機関の排気ガス中の排気微粒子を捕集するディーゼルパティキュレートフィルタと、還元剤としての尿素水溶液を貯蔵タンクから還元剤噴射弁へ供給することにより前記排気ガス中に噴射して供給すると共に前記内燃機関を停止する際には供給経路内の前記尿素水溶液を前記貯蔵タンクへ回収する還元剤供給装置と、前記尿素水溶液を用いて前記排気ガス中のＮＯｘを浄化するＳＣＲ触媒と、を排気上流側から順次に備えた排気浄化システムにおいて、
前記内燃機関を停止するためのイグニッションスイッチのオフの検出後に、前記還元剤噴射弁の最高到達温度を特定し、その後、前記還元剤噴射弁内に残存する前記尿素水溶液の溶解温度を前記還元剤噴射弁内に残存する前記尿素水溶液の体積と前記最高到達温度に基づいて算定する溶解温度算定部と、
前記内燃機関を始動するためのイグニッションスイッチのオンの検出後に、前記還元剤噴射弁の噴射弁温度が前記溶解温度に到達してから前記還元剤噴射弁の動作を許可する噴射弁動作許可部と、
を有する制御装置を備えることを特徴とする排気浄化システム。
【請求項２】
前記溶解温度算定部は、前記溶解温度の算定を、イグニッションスイッチのオンの検出後に行うことを特徴とする請求項１に記載の排気浄化システム。
【請求項３】
前記溶解温度算定部は、前記溶解温度の算定を、イグニッションスイッチのオフの検出後、オンの検出前に行うことを特徴とする請求項１に記載の排気浄化システム。
【請求項４】
前記溶解温度算定部は、前記最高到達温度の特定のための前記還元剤噴射弁の噴射弁温度の検出を、前記尿素水溶液の前記貯蔵タンクへの回収と並行して行うことを特徴とする請求項１乃至３のいずれか一項に記載の排気浄化システム。
【請求項５】
前記溶解温度算定部は、前記最高到達温度の特定を、前記尿素水溶液の前記貯蔵タンクへの回収終了後に行うことを特徴とする請求項１乃至３のいずれか一項に記載の排気浄化システム。
【請求項６】
前記溶解温度算定部は、前記溶解温度の算定を、前記最高到達温度と、前記還元剤噴射弁の温度勾配及び外気温度のうちの一方又は両方とに基づいて行うことを特徴とする請求項１乃至５のいずれか一項に記載の排気浄化システム。
【請求項７】
内燃機関の排気ガス中の排気微粒子を捕集するディーゼルパティキュレートフィルタと、還元剤としての尿素水溶液を貯蔵タンクから還元剤噴射弁へ供給することにより前記排気ガス中に噴射して供給すると共に前記内燃機関を停止する際には供給経路内の前記尿素水溶液を前記貯蔵タンクへ回収する還元剤供給装置と、前記尿素水溶液を用いて前記排気ガス中のＮＯｘを浄化するＳＣＲ触媒と、を排気上流側から順次に備えた排気浄化システムの制御方法において、
前記内燃機関を停止するためのイグニッションスイッチのオフの検出後に、前記還元剤噴射弁の最高到達温度を特定する過程と、
前記還元剤噴射弁内に残存する前記尿素水溶液の溶解温度を前記還元剤噴射弁内に残存する前記尿素水溶液の体積と前記最高到達温度に基づいて算定する過程と、
前記内燃機関を始動するためのイグニッションスイッチのオンの検出後に、前記還元剤噴射弁の噴射弁温度が前記溶解温度に到達してから前記還元剤噴射弁の動作を許可する過程と、
を有することを特徴とする排気浄化システムの制御方法。
【請求項８】
前記溶解温度を算定する過程を、イグニッションスイッチのオンの検出後に行うことを特徴とする請求項７に記載の排気浄化システムの制御方法。
【請求項９】
前記溶解温度を算定する過程を、イグニッションスイッチのオフの検出後、オンの検出前に行うことを特徴とする請求項７に記載の排気浄化システムの制御方法。
【請求項１０】
前記最高到達温度を特定するための前記還元剤噴射弁の噴射弁温度の検出を、前記尿素水溶液の前記貯蔵タンクへの回収と並行して行うことを特徴とする請求項７乃至９のいずれか一項に記載の排気浄化システムの制御方法。
【請求項１１】
前記最高到達温度の特定を、前記尿素水溶液の前記貯蔵タンクへの回収終了後に行うことを特徴とする請求項７乃至１０のいずれか一項に記載の排気浄化システムの制御方法。
【手続補正２】
【補正対象書類名】明細書
【補正対象項目名】００１７
【補正方法】変更
【補正の内容】
【００１７】
本発明の一態様に係る排気浄化システムは、内燃機関の排気ガス中の排気微粒子を捕集するディーゼルパティキュレートフィルタと、還元剤としての尿素水溶液を貯蔵タンクから還元剤噴射弁へ供給することにより前記排気ガス中に噴射して供給すると共に前記内燃機関を停止する際には供給経路内の前記尿素水溶液を前記貯蔵タンクへ回収する還元剤供給装置と、前記尿素水溶液を用いて前記排気ガス中のＮＯｘを浄化するＳＣＲ触媒と、を排気上流側から順次に備えた排気浄化システムにおいて、
前記内燃機関を停止するためのイグニッションスイッチのオフの検出後に、前記還元剤噴射弁の最高到達温度を特定し、その後、前記還元剤噴射弁内に残存する前記尿素水溶液の溶解温度を前記還元剤噴射弁内に残存する前記尿素水溶液の体積と前記最高到達温度に基づいて算定する溶解温度算定部と、
前記内燃機関を始動するためのイグニッションスイッチのオンの検出後に、前記還元剤噴射弁の噴射弁温度が前記溶解温度に到達してから前記還元剤噴射弁の動作を許可する噴射弁動作許可部と、
を有する制御装置を備えることを特徴とし、当該構成を備えることにより、上記課題を解決することができる。
【手続補正３】
【補正対象書類名】明細書
【補正対象項目名】００１８
【補正方法】変更
【補正の内容】
【００１８】
また、本発明の一態様に係る排気浄化システムの制御方法は、
内燃機関の排気ガス中の排気微粒子を捕集するディーゼルパティキュレートフィルタと、還元剤としての尿素水溶液を貯蔵タンクから還元剤噴射弁へ供給することにより前記排気ガス中に噴射して供給すると共に前記内燃機関を停止する際には供給経路内の前記尿素水溶液を前記貯蔵タンクへ回収する還元剤供給装置と、前記尿素水溶液を用いて前記排気ガス中のＮＯｘを浄化するＳＣＲ触媒と、を排気上流側から順次に備えた排気浄化システムの制御方法において、
前記内燃機関を停止するためのイグニッションスイッチのオフの検出後に、前記還元剤噴射弁の最高到達温度を特定する過程と、
前記還元剤噴射弁内に残存する前記尿素水溶液の溶解温度を前記還元剤噴射弁内に残存する前記尿素水溶液の体積と前記最高到達温度に基づいて算定する過程と、
前記内燃機関を始動するためのイグニッションスイッチのオンの検出後に、前記還元剤噴射弁の噴射弁温度が前記溶解温度に到達してから前記還元剤噴射弁の動作を許可する過程と、
を有することを特徴とし、当該構成を備えることにより、上記課題を解決することができる。
【国際調査報告】
2014171261.tif 000011
2014171261.tif 000012